(57)【要約】【課題】製造コストを低減することができる皿ばねの製造方法、および、それにより得られる皿ばねを用いたクラッチ装置を提供する。【解決手段】クラッチ装置は、クラッチドラムを内部に有する２つのクラッチ機構を備えている。各クラッチ機構のクラッチドラムの内部における従動プレートとピストンとの間に、リング状の親皿ばねおよび子皿ばねのそれぞれが設けられている。親皿ばね１の凸面側内周縁部には、荷重負荷時に最初に相手部材と接触可能な平坦部が形成され、その平坦部により弾性変形における平坦時発生荷重が所望値に調整されている。このような親皿ばねおよび子皿ばねのブランク１Ａ，２Ａは、プレス加工によって同一の板厚を有する板材から得る。このとき、ブランク１Ａには、その曲げ成形後の形状を考慮に入れて、内周縁部に平坦部１２Ａを形成する。【選択図】図６
2008256033.tif 000002
【特許請求の範囲】
【請求項１】
プレス加工によって板材からリング状の複数のブランクを打ち抜き、
前記複数のブランクのそれぞれを皿ばねに成形する皿ばねの製造方法において、
前記プレス加工では外径の小さなブランクを外径の大きなブランクの内側領域から打ち抜き、
前記皿ばねの少なくとも一つの凸面側内周縁部および凹面側外周縁部の少なくとも一方に、その一方の周縁部と他方の周縁部との間の地点から前記一方の周縁部のエッジに向かって延在する平坦部あるいはテーパ部を形成することを特徴とする皿ばねの製造方法。
【請求項２】
プレス加工によって板材からリング状の複数のブランクを打ち抜き、
前記複数のブランクのそれぞれを皿ばねに成形する皿ばねの製造方法において、
前記プレス加工では外径の小さなブランクを外径の大きなブランクの内側領域から打ち抜き、
前記皿ばねの少なくとも一つの内周部および外周部の少なくとも一方に、切削を施すことを特徴とする皿ばねの製造方法。
【請求項３】
筒状の第１部材の内部で軸線方向に移動可能に設けられた第２部材と第３部材との間に、リング状の皿ばねを備えるとともに、互いの軸線が一致する複数のクラッチ機構を備えたクラッチ装置において、
前記複数のクラッチ機構の皿ばねは、同一の板厚を有するとともに、互いに異なる外径を有し、前記皿ばねの少なくとも一つの凸面側内周縁部および凹面側外周縁部の少なくとも一方に、その一方の周縁部と他方の周縁部との間の地点から前記一方の周縁部のエッジに向かって延在する平坦部あるいはテーパ部が形成されていることを特徴とするクラッチ装置。
【請求項４】
筒状の第１部材の内部で軸線方向に移動可能に設けられた第２部材と第３部材との間に、リング状の皿ばねを備えるとともに、互いの軸線が一致する複数のクラッチ機構を備えたクラッチ装置において、
前記複数のクラッチ機構の皿ばねは、同一の板厚を有するとともに、互いに異なる外径を有し、前記皿ばねの少なくとも一つの内周部および外周部の少なくとも一方に、被切削部が形成されていることを特徴とするクラッチ装置。
【請求項５】
外径の小さな皿ばねは、外径の大きな皿ばねの内側に収まる大きさを有することを特徴とする請求項３または４に記載のクラッチ装置。
【発明の詳細な説明】
【技術分野】
【０００１】
本発明は、互いに外径の異なる複数の皿ばねの製造方法と、それら皿ばねを備えた多板式クラッチ装置に係り、特に皿ばねの製造歩留の向上のための技術に関する。
【背景技術】
【０００２】
輸送機械のクラッチ装置は、湿式多板式クラッチ機構を備えている。湿式多板式クラッチ機構は、略有底円筒状をなすクラッチドラムを備え、クラッチドラムには、軸線方向に移動可能に設けられた底面側の従動プレートとピストンとの間に、リング状の皿ばねが設けられている（たとえば特許文献１）。皿ばねは、その内周縁部がピストンによって支持されるとともに、その外周縁部が底面側の従動プレートによって支持されるように配置されている。皿ばねは、皿形状から略平坦になるように弾性変形することによって、クラッチ機構のクラッチ締結時に生じるショックを吸収する。
【０００３】
このような皿ばねの特性では、弾性変形において皿ばねが略平坦になるとき、すなわち皿ばねの変位量が、高さＨと板厚Ｔとの差で規定されるストローク長ＳＴ（図１０参照）に達したときの発生荷重（以下、平坦時発生荷重）が、クラッチ機構の設計値として必要である。平坦時発生荷重は、皿ばねの外径、内径、板厚Ｔ、およびストローク長ＳＴに依存するが、それらのうち皿ばねの外径、内径、およびストローク長ＳＴは、クラッチ機構の設計値として予め決定されている。これにより、平坦時発生荷重は、板厚Ｔにより調整されている。
【０００４】
【特許文献１】特開平９−３２９１８号
【発明の開示】
【発明が解決しようとする課題】
【０００５】
ところで、ＣＶＴ（Continuously Variable Transmission）車やＡＴ（Automatic Transmission）車のクラッチ装置には、互いの軸線が一致するとともに、大きさの異なる複数のクラッチ機構を備えている装置があり、各クラッチ機構には、そのクラッチドラムに対応した外径を有する皿ばねが配置されている。この場合、皿ばねのそれぞれの平坦時発生荷重は同一ではないのが通常であるから、皿ばねのそれぞれは板厚の異なる材料から製造されている。
【０００６】
しかしながら、板材から皿ばねのブランクを打ち抜いた後の材料はスクラップにする以外にないため、上記のような皿ばねの製造ではスクラップになる部分が非常に多い。このため、皿ばねの材料歩留が悪く、製造コストが割高となっていた。
【０００７】
したがって、本発明は、製造コストを低減することができる皿ばねの製造方法、および、それにより得られる皿ばねを用いることにより低価格化を図ることができるクラッチ装置を提供することを目的としている。
【課題を解決するための手段】
【０００８】
本発明の皿ばねの第１製造方法は、プレス加工によって板材からリング状の複数のブランクを打ち抜き、複数のブランクのそれぞれを皿ばねに成形する製造方法であって、プレス加工では外径の小さなブランクを外径の大きなブランクの内側領域から打ち抜き、皿ばねの少なくとも一つの凸面側内周縁部および凹面側外周縁部の少なくとも一方に、その一方の周縁部と他方の周縁部との間の地点からその一方の周縁部のエッジに向かって延在する平坦部あるいはテーパ部を形成することを特徴としている。
【０００９】
ここで、凸面側内周縁部および凹面側外周縁部の少なくとも一方に平坦部あるいはテーパ部が形成された皿ばねでは、無荷重時に少なくともその一方の周縁部と他方の周縁部との間の地点で接触可能であるから、平坦部およびテーパ部が形成されていない従来の皿ばねと比較して、凹面側外周縁部の接地径と凸面側内周縁部の接地径との差（すなわち接地点間距離）が小さくなる。これにより、平坦部あるいはテーパ部が形成された皿ばねでは、その高さと接地点間距離との比が減少するから、皿ばねが略平坦になるとき（すなわち皿ばねの変位量が高さと板厚との差で規定されるストローク長に達したとき）の発生荷重（以下、平坦時発生荷重）が大きくなる。したがって、本発明の第１皿ばねの製造方法のように同一の板材から外径の大きな皿ばねおよび外径の小さな皿ばねを得る場合、その板材の板厚を、必要な平坦時発生荷重が小さな皿ばねの板厚に一致させるとともに、必要な平坦時発生荷重が大きな皿ばねに平坦部あるいはテーパ部を形成する。
【００１０】
これついて、図４を参照して説明する。図４は、各種皿ばねのストローク長ＳＴと平坦時発生荷重Ｐの関係図であり、（Ａ）は、外径の大きな親皿ばねの板厚が、外径の小さな子皿ばねの板厚より大きい場合の関係図、（Ｂ）は、外径の小さな子皿ばねの板厚が、外径の大きな親皿ばねの板厚より大きい場合の関係図である。なお、図４に示すストローク長ＳＴ１ ，ＳＴ２の大小関係および平坦時発生荷重Ｐ１，Ｐ２の大小関係は任意に設定できることは言うまでもない。
【００１１】
まず、図４（Ａ）の場合について説明する。外径の大きな皿ばね（以下、親皿ばね）では、点Ａで示されるストローク長ＳＴ１および平坦時発生荷重Ｐ１を必要とし、外径の小さな皿ばね（以下、子皿ばね）では、点Ｂで示されるストローク長ＳＴ２および平坦時発生荷重はＰ２を必要とする場合を考える。点Ａの特性を満足する親皿ばねとして、平坦部が形成されていない板厚がＴ１の親皿ばねがある。点Ｂの特性を満足する皿ばねとして、平坦部が形成されていない板厚がＴ２（＜Ｔ１）の子皿ばねがある。
【００１２】
ここで、親皿ばねを子皿ばねと同一の板材から得るために、親皿ばねの板厚をＴ２に設定すると、板厚が小さくなるため、点Ｃで示される平坦時発生荷重Ｐ３（＜Ｐ２）を示す親皿ばねとなって、所望の平坦時発生荷重Ｐ１を有する親皿ばねを得ることができない。しかしながら、この場合、親皿ばねの凸面側内周縁部および凹面側外周縁部の少なくとも一方にに平坦部を形成して平坦部形成親皿ばねにすると、上記のように平坦部によって平坦時発生荷重を増加させることができる。これにより、平坦部形成親皿ばねでは、板厚の小さな子皿ばねと同じ板厚Ｔ２に設定しても、平坦部の形状や大きさなどを適宜設計することにより、所望の平坦時発生荷重Ｐ１を示す親皿ばねを得ることができる。
【００１３】
次に、図４（Ｂ）の場合について説明する。図４（Ｂ）の場合では、点Ａの特性を満足する親皿ばねの板厚が子皿ばねの板厚よりも小さく設定されている点（すなわち、Ｔ２＞Ｔ１）が、図４（Ａ）の場合と異なる。
【００１４】
子皿ばねを親皿ばねと同一の板材から得るために、子皿ばねの板厚をＴ１に設定すると、板厚が小さくなるため、点Ｄで示される平坦時発生荷重Ｐ４（＜Ｐ２）を示す子皿ばねとなって、所望の平坦時発生荷重Ｐ２を有する子皿ばねを得ることができない。しかしながら、この場合、子皿ばねの凸面側内周縁部および凹面側外周縁部の少なくとも一方に平坦部を形成して平坦部形成子皿ばねにすると、上記のように平坦部によって平坦時発生荷重を増加させることができる。これにより、平坦部形成子皿ばねでは、板厚の小さな親皿ばねと同じ板厚Ｔ１に設定しても、平坦部の形状や大きさなどを適宜設計することにより、所望の平坦時発生荷重Ｐ２を示す子皿ばねを得ることができる。
【００１５】
このように本発明の皿ばねの第１製造方法では、上記のように形状や大きさなどを適宜設計した平坦部を皿ばねに形成して平坦時発生荷重を増加させることにより、それぞれが所望の平坦時発生荷重を示す複数の皿ばねを同一の板材から得ることができる。また、外径の小さなブランクを外径の大きなブランクの内側領域から打ち抜くので、原材料である板材を有効に使用することができる。また、外径の大きな皿ばねと外径の小さな皿ばねのブランクの打ち抜きを同時に行うことができる。以上のように、皿ばねの材料歩留を向上させることができ、かつ製造工程数を減少させることができるので、製造コストを低減することができる。
【００１６】
なお、このように図４を用いて皿ばねの荷重調整のために平坦部を形成する例について説明したが、平坦部の代わりに、テーパ部を形成してもよい。この場合、荷重負荷時に先テーパ部の先端部が最初に相手部材に接触可能とすることにより、平坦部と同様な作用・効果を得ることができる。
【００１７】
本発明の皿ばねの第２製造方法は、プレス加工によって板材からリング状の複数のブランクを打ち抜き、複数のブランクのそれぞれを皿ばねに成形する製造方法であって、プレス加工では外径の小さなブランクを外径の大きなブランクの内側領域から打ち抜き、皿ばねの少なくとも一つの内周部および外周部の少なくとも一方に、切削を施すことを特徴としている。
【００１８】
ここで、内周部および外周部の少なくとも一方に切削が施された皿ばねでは、その周面部を切削しているから、周面部に切削が施されていない従来の皿ばねと比較して、平坦時発生荷重が小さくなる。したがって、本発明の第２皿ばねの製造方法のように同一の板材から外径の大きな皿ばねおよび外径の小さな皿ばねを得る場合、その板材の板厚を、必要な平坦時発生荷重が大きな皿ばねの板厚に一致させるとともに、必要な平坦時発生荷重が小さな皿ばねに切削を施して被切削部を形成する。
【００１９】
これついて、図５を参照して説明する。図５は、各種皿ばねのストローク長ＳＴと平坦時発生荷重Ｐの関係図であり、（Ａ）は、外径の大きな親皿ばねの板厚が、外径の小さな子皿ばねの板厚より大きい場合の関係図、（Ｂ）は、外径の小さな子皿ばねの板厚が、外径の大きな親皿ばねの板厚より大きい場合の関係図である。なお、図５に示すストローク長ＳＴ１ ，ＳＴ２の大小関係および平坦時発生荷重Ｐ１，Ｐ２の大小関係は任意に設定できることは言うまでもない。
【００２０】
まず、図５（Ａ）の場合について説明する。外径の大きな皿ばね（以下、親皿ばね）では、点Ａで示されるストローク長ＳＴ１および平坦時発生荷重Ｐ１を必要とし、外径の小さな皿ばね（以下、子皿ばね）では、点Ｂで示されるストローク長ＳＴ２および平坦時発生荷重はＰ２を必要とする場合を考える。点Ａの特性を満足する親皿ばねとして、板厚がＴ１の親皿ばねがある。点Ｂの特性を満足する皿ばねとして、被切削部が形成されていない板厚がＴ２（＜Ｔ１）の子皿ばねがある。
【００２１】
ここで、子皿ばねを親皿ばねと同一の板材から得るために、子皿ばねの板厚をＴ１に設定すると、板厚が大きくなるため、点Ｅで示される平坦時発生荷重Ｐ５（＞Ｐ２）を示す子皿ばねとなって、所望の平坦時発生荷重Ｐ２を有する子皿ばねを得ることができない。しかしながら、この場合、子皿ばねの外周部および内周部の少なくとも一方に被切削部を形成して被切削部形成子皿ばねにすると、上記のように被切削部によって平坦時発生荷重を低減することができる。これにより、被切削部形成子皿ばねでは、板厚の大きな親皿ばねと同じ板厚Ｔ１に設定しても、被切削部の形状や大きさなどを適宜設計することにより、所望の平坦時発生荷重Ｐ２を示す子皿ばねを得ることができる。
【００２２】
次に、図５（Ｂ）の場合について説明する。図５（Ｂ）の場合では、点Ａの特性を満足する親皿ばねの板厚が子皿ばねの板厚よりも小さく設定されている点（すなわち、Ｔ２＞Ｔ１）が、図５（Ａ）の場合と異なる。
【００２３】
親皿ばねを子皿ばねと同一の板材から得るために、親皿ばねの板厚をＴ２に設定すると、板厚が大きくなるため、点Ｆ示される平坦時発生荷重Ｐ６（＞Ｐ１）を示す親皿ばねとなって、所望の平坦時発生荷重Ｐ１を有する親皿ばねを得ることができない。しかしながら、この場合、親皿ばねの外周部および内周部の少なくとも一方に被切削部を形成して被切削部形成親皿ばねにすると、上記のように被切削部によって平坦時発生荷重を低減することができる。これにより、被切削部形成親皿ばねでは、板厚の大きな子皿ばねと同じ板厚Ｔ２に設定しても、被切削部の形状や大きさを適宜設計することにより、所望の平坦時発生荷重Ｐ１を示す親皿ばねを得ることができる。
【００２４】
このように本発明の皿ばねの第２製造方法では、平坦部の代わりに、形状や大きさなどを適宜設計した被切削部部を皿ばねに形成して平坦時発生荷重を低減させる以外は、本発明の皿ばねの第１製造方法と同様であり、本発明の皿ばねの第１製造方法と同様な効果を得ることができる。
【００２５】
平坦部あるいはテーパ部を形成する第１製造方法による皿ばねでは、被切削部を形成する第２製造方法による皿ばねと比較して、平坦時発生荷重の調整幅が大きい。したがって、第１製造方法は、平坦時発生荷重調整において第２製造方法より有効である。一方、第２製造方法では、複数のブランクを一括してそれらに平坦部あるいはテーパ部を形成することができない第１製造方法と比較して、たとえば旋盤を用いて複数のブランクを重ねて切削を施すことができる。また、第１製造方法では、平坦部あるいはテーパ部の形成に内外径が影響されずに皿ばねを製造することが可能であり、第２製造方法では、被切削部の形成に高さが影響されずに皿ばねを製造することが可能である。
【００２６】
本発明の第１クラッチ装置は、筒状の第１部材の内部で軸線方向に移動可能に設けられた第２部材と第３部材との間に、リング状の皿ばねを備えるとともに、互いの軸線が一致する複数のクラッチ機構を備えた装置であって、複数のクラッチ機構の皿ばねは、同一の板厚を有するとともに、互いに異なる外径を有し、皿ばねの少なくとも一つの凸面側内周縁部および凹面側外周縁部の少なくとも一方に、その一方の周縁部と他方の周縁部との間の地点からその一方の周縁部のエッジに向かって延在する平坦部あるいはテーパ部が形成されていることを特徴としている。
【００２７】
本発明の第１クラッチ装置では、互いに同一の板厚を有する皿ばねの少なくとも一つの凸面側内周縁部および凹面側外周縁部の少なくとも一方に、平坦部あるいはテーパ部が形成されているので、それらの形状や大きさを適宜設計することにより、それぞれが所望の平坦時発生荷重を示す複数の皿ばねを同一の板材から得ることができる。これにより、皿ばねの材料歩留を向上させることができるので、皿ばねを低価格にすることができる。したがって、装置を低価格にすることができる。
【００２８】
本発明の第２クラッチ装置は、筒状の第１部材の内部で軸線方向に移動可能に設けられた第２部材と第３部材との間に、リング状の皿ばねを備えるとともに、互いの軸線が一致する複数のクラッチ機構を備えた装置であって、複数のクラッチ機構の皿ばねは、同一の板厚を有するとともに、互いに異なる外径を有し、皿ばねの少なくとも一つの内周部および外周部の少なくとも一方に、被切削部が形成されていることを特徴としている。
【００２９】
本発明の第２クラッチ装置では、平坦部の代わりに、互いに同一の板厚を有する皿ばねの少なくとも一つの内周部および外周部の少なくとも一方に被切削部が形成されている以外は、本発明の第１クラッチ装置と同様であり、本発明の第１クラッチ装置と同様な効果を得ることができる。
【００３０】
ここで、本発明のクラッチ装置では、種々の構成を用いることができる。たとえば、外径の小さな皿ばねは、外径の大きな皿ばねのリング状の内側に収まる大きさを有することができる。この態様では、皿ばねの製造時のプレス加工において外径の小さなブランクを外径の大きなブランクの内側領域から打ち抜くので、製造工程数を減少させることができる。したがって、皿ばねをさらに低価格にすることができるので、装置をさらに低価格にすることができる。
【発明の効果】
【００３１】
本発明の皿ばねの第１製造方法によれば、形状や大きさなどを適宜設計した平坦部あるいはテーパ部を少なくとも１つの皿ばねに形成して平坦時発生荷重を増加させることにより、それぞれが所望の平坦時発生荷重を示す複数の皿ばねを同一の板材から得ることができる等の効果が得られる。本発明の第１クラッチ装置によれば、それぞれが所望の平坦時発生荷重を示す皿ばねを低価格にすることができるので、装置を低価格にすることができる等の効果が得られる。
【００３２】
本発明の皿ばねの第２製造方法によれば、形状や大きさなどを適宜設計した被切削部を少なくとも１つの皿ばねに形成して平坦時発生荷重を減少させることにより、それぞれが所望の平坦時発生荷重を示す複数の皿ばねを同一の板材から得ることができる等の効果が得られる。本発明の第２クラッチ装置によれば、それぞれが所望の平坦時発生荷重を示す皿ばねを低価格にすることができるので、装置を低価格にすることができる等の効果が得られる。
【発明を実施するための最良の形態】
【００３３】
（１）第１実施形態
（１−１）皿ばねの構成
以下、本発明の第１実施形態について図面を参照して説明する。図１，２は、本発明の第１実施形態に係る親皿ばね（外径の大きな皿ばね、平坦部形成親皿ばね）１，子皿ばね（外径の小さな皿ばね）２の構成を表す図である。図１の（Ａ）は平面図、（Ｂ）は（Ａ）の１Ｂ−１Ｂ線の側断面図、図２の（Ａ）は平面図、（Ｂ）は（Ａ）の２Ｂ−２Ｂ線の側断面図である。
【００３４】
親皿ばね１は、リング状の皿形状をなす本体１０を備え、本体１０の中心部に円形状の孔１１が形成されている。親皿ばね１の凸面側内周縁部には、荷重負荷時に最初に相手部材と接触可能な平坦部１２が形成されている。子皿ばね２は、リング状の皿形状をなす本体２０を備え、本体２０の中心部に円形状の孔２１が形成されている。親皿ばね１と子皿ばね２の板厚はともにＴ２である。
【００３５】
ここで、親皿ばね１の平坦部１２は、図３（Ａ）に示すように、内周縁部と外周縁部との間の地点から内周縁部のエッジまで延在し、その径方向の長さはｂである。このように平坦部１２が形成された図３（Ａ）の親皿ばね１では、荷重負荷時に最初に平坦部１２の全面が相手部材と接触可能であるから、平坦部が形成されていない図３（Ｂ）の従来の皿ばね１０１と比較して、相手部材との接触により規定される凹面側外周縁部の接地径ｄ１と、相手部材との接触により規定される凸面側内周縁部の接地径ｄ２との差ａ（＝ｄ１−ｄ２）が小さくなる。これにより、図３（Ａ）に示す親皿ばね１では、図３（Ｂ）に示す従来の親皿ばねと比較して、平坦時発生荷重が大きい。なお、図３（Ａ）に示す親皿ばね１と 図３（Ｂ）に示す従来の親皿ばね１０１とは、同一の板厚、外径、および、内径を有している。
【００３６】
これにより第１実施形態では、親皿ばね１のストローク長および平坦時発生荷重は、図３（Ａ）の点Ａに示すように、ＳＴ１およびＰ１であって、板厚がＴ２より大きなＴ１の親皿ばねのものと同じである。子皿ばね２のストローク長および平坦時発生荷重は、図３（Ａ）の点Ｂに示すように、ＳＴ２およびＰ２である。
【００３７】
親皿ばね１の内径は、子皿ばね２の外径よりも大きく設定され、子皿ばね２は、親皿ばね１の内側に収まる大きさを有する。親皿ばね１および子皿ばね２の高さはＨ１，Ｈ２である。
【００３８】
（１−２）皿ばねの製造方法
次に、親皿ばね１および子皿ばね２の製造方法について、おもに図６を参照して説明する。図６は、親皿ばね１および子皿ばね２のブランク１Ａ，２Ａの構成を表す図であり、（Ａ）は断面図、（Ｂ）は（Ａ）の３Ｂ−３Ｂ線における側断面図である。まず、プレス加工によって、板厚Ｔ２の板材からリング状の大径ブランク１Ａを打ち抜き、ブランク１Ａの内側領域からリング状の小径ブランク２Ａを打ち抜く。このとき、大径ブランク１Ａには、下記の曲げ成形後の形状を考慮に入れて、内周縁部に平坦部１２Ａを形成する。
【００３９】
次いで、常温で２つのブランク１Ａ，２Ａに曲げ成形を行う。そして、皿形状の２つのブランク１Ａ，２Ａに熱処理（焼入れ・焼戻し）を行うことにより、皿形状のブランク１Ａから親皿ばね１が得られ、皿形状のブランク２Ａから子皿ばね２が得られる。ブランク１Ａへの曲げ成形は、平坦部１２Ａが凸面側に位置するように行う。なお、２つのブランク１Ａ，２Ａへの曲げ成形および熱処理を同時に行ってもよい。また、平坦部１２の形成は、曲げ成形時に鍛造プレスやプレスクウェンチを用いて行ってもよい。さらに、平坦部１２の形成は、（ブランク成形後、曲げ成形後および熱処理後のいずれかの段階において）切削や研削などによって行ってもよい。
【００４０】
（１−３）クラッチ機構の構成
上記の皿ばね１，２は、図７に示すようなクラッチ装置３０に適用することができる。図７は、クラッチ装置３０の構成を表す側断面図である。クラッチ装置３０は、たとえば自動車のＣＶＴ車に使用され、湿式多板式リバース用クラッチ機構１００と湿式多板式フォワード用クラッチ機構２００を備えている。フォワード用クラッチ機構２００は、リバース用クラッチ機構１００の内側における略円筒状の空洞部に収容され、リバース用クラッチ機構１００と同一の回転軸線を有している。
【００４１】
リバース用クラッチ機構１００は、略有底円筒状をなすクラッチドラム１０１を備え、その内周面には、軸線方向に延在する複数のスプライン溝が円周方向に等間隔に形成されている。クラッチドラム１０１の内部には、それと回転軸線位置が一致する筒状のクラッチハブ１０２が設けられ、その外周面には、軸線方向に延在する複数のスプライン溝が円周方向に等間隔に形成されている。
【００４２】
クラッチドラム１０１とクラッチハブ１０２との間には、クラッチドラム１０１のスプライン溝に嵌合する従動プレート１０３と、クラッチハブ１０２のスプライン溝に嵌合する駆動プレート１０４とが設けられている。それらプレート１０３，１０４は、軸線方向に移動可能に所定の間隔をおいて交互に配置されている。クラッチドラム１０１の底面側（図７の左側）には、軸線方向に移動可能にピストン１０５が配置されている。クラッチドラム１０１とピストン１０５との間には、作動油が供給される油圧室（図示略）が形成されている。ピストン１０５の開口側表面には、そこに負荷される圧力によって伸縮するリターンスプリング（図示略）の一端部が固定されている。リターンスプリングは、ピストン１０５をクラッチドラム１０１の底面側へ付勢している。
【００４３】
クラッチドラム１０１の底面側の従動プレート１０３とピストン１０５との間には、上記親皿ばね１が配置されている。この場合、親皿ばね１は、本体１０の内周縁部がピストン１０５によって支持されるとともに、本体１０の外周縁部が従動プレート１０３によって支持されるように配置されている。これにより、親皿ばね１は、軸線方向に移動可能となっている。クラッチドラム１０１の開口側には、従動プレート１０３および駆動プレート１０４を支持するためのリテーニングプレート１０９が配置されている。リテーニングプレート１０９の開口側表面には、それの外部への離脱防止のためのスナップリング１１０が配置されている。
【００４４】
フォワード用クラッチ機構２００は、略有底円筒状をなすクラッチドラム２０１を備えている。クラッチドラム２０１は、リバース用クラッチ機構１００のクラッチハブ１０２の内側の略円筒状の空洞に収容されている。クラッチドラム２０１の内周面には、軸線方向に延在する複数のスプライン溝が円周方向に等間隔に形成されている。クラッチドラム２０１の内部には、それと回転軸線位置が一致する筒状のクラッチハブ２０２が設けられ、その外周面には、軸線方向に延在する複数のスプライン溝が円周方向に等間隔に形成されている。
【００４５】
クラッチドラム２０１とクラッチハブ２０２との間には、クラッチドラム２０１のスプライン溝に嵌合する従動プレート２０３と、クラッチハブ２０２のスプライン溝に嵌合する駆動プレート２０４とが設けられている。それらプレート２０３，２０４は、軸線方向に移動可能に所定の間隔をおいて交互に配置されている。クラッチドラム２０１の底面側には、軸線方向に移動可能にピストン２０５が配置されている。クラッチドラム２０１とピストン２０５との間には、作動油が供給される油圧室２０６が形成されている。ピストン２０５の開口側表面には、そこに負荷される圧力によって伸縮するリターンスプリング２０７の一端部が固定されている。リターンスプリング２０７の他端部は、クラッチドラム２０１に設けられたスプリングリテーナ２０８に固定されている。リターンスプリング２０７は、ピストン２０５をクラッチドラム２０１の底面側へ付勢している。
【００４６】
クラッチドラム２０１の底面側の従動プレート２０３とピストン２０５との間には、上記子皿ばね２が配置されている。この場合、子皿ばね２は、本体２０の内周縁部が従動プレート２０３によって支持されるとともに、本体２０の外周縁部がピストン２０５によって支持されるように配置されている。これにより、子皿ばね２は、軸線方向に移動可能となっている。クラッチドラム２０１の開口側には、従動プレート２０３および駆動プレート２０４を支持するためのリテーニングプレート２０９が配置されている。リテーニングプレート２０９の開口側表面には、それの外部への離脱防止のためのスナップリング２１０が配置されている。
【００４７】
（１−４）クラッチ機構の動作
次に、皿ばね１，２が適用されたクラッチ機構１００，２００の動作について、おもに図７を参照して説明する。リバース用クラッチ機構１００はＣＶＴ車の後退走行のときに使用され、フォワード用クラッチ機構２００はＣＶＴ車の前進走行のときに使用される。なお、各クラッチ機構１００，２００は、各走行において同様な動作をするので、ここでは、リバース用クラッチ機構１００の動作を説明し、フォワード用クラッチ機構２００の動作の説明は省略する。
【００４８】
油圧室に作動油を供給すると、油圧により駆動されたピストン１０５がリターンスプリングの付勢力に抗して軸線方向の開口側に移動し、親皿ばね１を介して、クラッチドラム１０１の底面側の従動プレート１０３を押圧する。すると、交互に配置されている従動プレート１０３および駆動プレート１０４とリテーニングプレート１０９は、軸線方向の開口側に移動する。このような移動によって、リテーニングプレート１０９がスナップリング１１０に押接されると、互いに対向する従動プレート１０３および駆動プレート１０４の摩擦面が係合してクラッチ締結が行われる。これにより、クラッチドラム１０１とクラッチハブ１０２との間のトルク伝達が可能となる。このとき、親皿ばね１は、皿形状から略平坦になるように弾性変形することにより、クラッチ締結時に生じるショックを吸収する。このときの親皿ばね１の平坦時発生荷重は、図３（Ａ）の点Ａに示すようにＰ１である。
【００４９】
次に、油圧室から作動油の供給を排出すると、ピストン１０５がリターンスプリングの付勢力によって、クラッチドラム１０１の底面側に押し戻される。すると、従動プレート１０３および駆動プレート１０４の摩擦面の係合が解除されてクラッチ締結が解除されるとともに、親皿ばね１の形状が元の状態に戻る。
【００５０】
以上のように第１実施形態の皿ばねの製造方法では、上記のように形状や大きさなどを適宜設計した平坦部１２を皿ばね１に形成して平坦時発生荷重を増加させることにより、それぞれが所望の平坦時発生荷重を示す複数の皿ばね１，２を同一の板材から得ることができる。また、外径の小さなブランク２Ａを外径の大きなブランク１Ａの内側領域から打ち抜くので、原材料である板材を有効に使用することができる。また、外径の大きな皿ばね１と外径の小さな皿ばね２のブランクの打ち抜きを同時に行うことができる。以上のように、皿ばね１，２の材料歩留を向上させることができ、かつ製造工程数を減少させることができるので、製造コストを低減することができる。
【００５１】
第１実施形態のクラッチ装置３０では、互いに同一の板厚を有する皿ばね１，２の少なくとも一つの凸面側内周縁部および凹面側外周縁部の少なくとも一方に、平坦部１２が形成されているので、それらの形状や大きさを適宜設計することにより、それぞれが所望の平坦時発生荷重を示す複数の皿ばね１，２を同一の板材から得ることができる。これにより、皿ばね１．２の材料歩留を向上させることができるので、皿ばね１，２を低価格にすることができる。したがって、装置３０を低価格にすることができる。
【００５２】
特に、皿ばね１，２の製造時のプレス加工において外径の小さなブランク２Ａを外径の大きなブランク１Ａの内側領域から打ち抜くので、製造工程数を減少させることができる。したがって、皿ばね１，２をさらに低価格にすることができるので、装置３０をさらに低価格にすることができる。
【００５３】
（２）第２実施形態
第２実施形態では、親皿ばねおよび子皿ばねの板厚として、第１実施形態のように小さな板厚Ｔ２を用いる代わりに大きな板厚Ｔ１を用い、かつそれに伴い、第１実施形態の平坦部を親皿ばねに形成する代わりに、被切削部部を子皿ばねに形成することにより子皿ばねの平坦時発生荷重を低減する。図８は、本発明の第２実施形態に係る子皿ばね３，４の一部構成を表し、（Ａ）は、被切削部２２が内周部に形成された子皿ばね３の断面図、（Ｂ）は、被切削部２３が外周部に形成された子皿ばね４の断面図である。なお、第２実施形態では、第１実施形態と同様な構成要素には同符号を付し、第２実施形態と同様な作用を有する構成要素の説明は省略している。
【００５４】
第２実施形態の親皿ばね（外径の大きな皿ばね）では、その断面形状が、第１実施形態の子皿ばね２と同様な形状である。第２実施形態の子皿ばね（外径の小さな皿ばね、被切削部形成子皿ばね）は、たとえば図８（Ａ）に示すように被切削部２２が形成された内周部が軸線方向に平行である子皿ばね３、あるいは、たとえば図８（Ｂ）に示すように被切削部２３が形成された外周部が軸線方向に平行である子皿ばね４である。子皿ばね３，４では、被切削部２２，２３が形成された周部が軸線方向に平行であるから、径方向における相手部材との衝突時にその相手部材への損傷が防止される。
【００５５】
ここで、被切削部２２，２３が形成された図８（Ａ），（Ｂ）に示す子皿ばね３，４では、その周部の一部が切削されているから、被切削部が形成されていない従来の子皿ばねと比較して、平坦時発生荷重が小さい。
【００５６】
これにより第２実施形態では、親皿ばねのストローク長および平坦時発生荷重は、図５（Ａ）の点Ａに示すように、ＳＴ１およびＰ１である。子皿ばね３，４のストローク長および平坦時発生荷重は、図５（Ａ）の点Ｂに示すように、ＳＴ２およびＰ２であって、板厚がＴ１より小さなＴ２の親皿ばねのものと同じである。このような親皿ばねおよび子皿ばねは、第１実施形態と同様にクラッチ装置３０に適用することができる。
【００５７】
第２実施形態の皿ばねの製造方法では、まず、プレス加工によって、板厚Ｔ１の板材からリング状の大径ブランクを打ち抜き、ブランクの内側領域からリング状の小径ブランクを打ち抜く。次いで、常温で２つのブランクに曲げ成形を行う。そして、皿形状の２つのブランクに熱処理（焼入れ・焼戻し）を行う。これにより、皿形状の大径ブランクから親皿ばねが得られる。続いて、皿形状の小径ブランクを重ねて旋盤により内周部あるいは外周部に切削を施すことにより、子皿ばね３あるいは子皿ばね４が得られる。なお、ブランクへの曲げ成形および熱処理を同時に行ってもよい。
【００５８】
以上のように第２実施形態の皿ばね３，４の製造方法では、平坦部１２の代わりに、形状や大きさなどを適宜設計した被切削部部２２，２３を皿ばねに形成して平坦時発生荷重を低減させる以外は、第１実施形態の皿ばね１，２の製造方法と同様であり、第１実施形態の皿ばね１，２の製造方法と同様な効果を得ることができる。また、第２実施形態のクラッチ装置３０では、平坦部１２の代わりに、互いに同一の板厚を有する皿ばねの少なくとも一つの内周部および外周部の少なくとも一方に被切削部２２，２３が形成されている以外は、本発明の第１クラッチ装置と同様であるから、本発明の第１クラッチ装置と同様な効果を得ることができる。
【００５９】
第１実施形態の皿ばねの製造方法と第２実施形態の皿ばねの製造方法とを比較すると次のようになる。すなわち、平坦部１２が形成された皿ばね１では、被切削部２２，２３を形成する皿ばね３，４と比較して、平坦時発生荷重の調整幅が大きい。したがって、第１実施形態の皿ばねの製造方法は、平坦時発生荷重調整において第２実施形態の皿ばねの製造方法より有効である。一方、第２実施形態の皿ばねの製造方法では、複数のブランクを一括してそれらに平坦部１２Ａを形成することができない第１実施形態の皿ばねの製造方法と比較して、たとえば旋盤を用いて複数のブランクを重ねて切削を施すことができる。また、第１実施形態の皿ばねの製造方法では、平坦部１２の形成に内外径が影響されずに皿ばね１を製造することが可能であり、第２製造方法では、被切削部２２，２３の形成に高さが影響されずに皿ばね３，４を製造することが可能である。
【００６０】
（３）変形例
以上のように上記実施形態を挙げて本発明を説明したが、本発明は上記実施形態に限定されるものではなく、種々の変形が可能である。たとえば、第１実施形態では、親皿ばね１の凸面側内周縁部に平坦部１２を形成したが、その代わりに、図９（Ａ）に示すように、親皿ばね５の凹面側外周縁部に平坦部１３を形成してもよい。平坦部１３は、凹面側において内周縁部と外周縁部との間の地点から外周縁部のエッジまで延在し、荷重負荷時に最初に平坦部１３の全面が相手部材と接触可能である。また、親皿ばねに平坦部１２，１３の両方を形成することも可能である。
【００６１】
さらに、たとえば、図９（Ｂ）に示すように、親皿ばね６の凸面側内周縁部にテーパ部１４を形成してもよい。テーパ部１４は、凸面側において内周縁部と外周縁部との間の地点から内周縁部のエッジまで凹面側に向かって傾斜角度ｃで傾斜し、荷重負荷時にテーパ部１４の先端部が最初に相手部材に接触可能である。なお、このようなテーパ部１４は、平坦部１３の代わりに凹面側外周縁部に適用することができるのは言うまでもない。
【００６２】
加えて、第１実施形態では、親皿ばね１に平坦部１２を形成するようにしたが、子皿ばね２の凸面側内周縁部および凹面側外周縁部の少なくとも一方に平坦部を形成してもよい。さらに、第２実施形態では、子皿ばねの内周部あるいは外周部に被切削部を形成するようにしたが、子皿ばねの内周部および外周部のいずれにも被切削部を形成することが可能である。さらに、第２実施形態では、子皿ばねに被切削部を形成するようにしたが、親皿ばねの内周部および外周部の少なくとも一方に被切削部を形成してもよい。
【００６３】
また、親皿ばね１および子皿ばね２の外周部に、半径方向外側へ突出する歯を複数形成してもよい。親皿ばね１および子皿ばね２の歯は、クラッチ機構１００，２００におけるクラッチドラム１０１，１０２のスプライン溝に嵌合し、クラッチドラム１０１，１０２に対する親皿ばね１および子皿ばね２の相対回転を防止する機能を有する。
【００６４】
さらに、上記実施形態では、クラッチ装置３０は２つのクラッチ機構１００，２００を備えるようにしたが、これに限定されるものではなく、互いの軸線が一致する３以上のクラッチ機構を備えるようにしてもよい。この場合、各クラッチ機構に適用される皿ばねでは、上記実施形態と同様にして、平坦部、テーパ部、あるいは、被切削部を適宜形成し、同一の板厚を有する板材から得ることにより、各皿ばねを各クラッチ機構に対応した平坦時発生荷重に調整する。加えて、上記実施形態では、本発明を自動車のＣＶＴ車の多板式クラッチ装置に適用したが、これに限定されるものではない。たとえば、本発明を、自動車のＡＴ車や、建設機械、自動二輪などの輸送機械の多板式クラッチ装置に適用することができる。
【００６５】
また、上記実施形態では、同一の板材から得た親皿ばねおよび子皿ばねを同一のクラッチ装置３０に適用したが、これに限定されるものではなく、親皿ばねおよび子皿ばねを別々に、互いに異なるクラッチ装置に適用してもよいのは言うまでもない。さらに、上記実施形態では、クラッチ機構１００，２００における親皿ばねおよび子皿ばねの発生荷重として、それらが略平坦になるときの平坦時発生荷重を用いるようにしたが、これに限定されるものではなく、それらが略平坦になる前の所望のストローク長ＳＴのときの発生荷重を用いることができるのは言うまでもないことである。
【図面の簡単な説明】
【００６６】
【図１】本発明の第１実施形態に係る親皿ばねの構成を表し、（Ａ）は平面図、（Ｂ）は（Ａ）の１Ｂ−１Ｂ線の側断面図である。
【図２】本発明の第２実施形態に係る子皿ばねの構成を表し、（Ａ）は平面図、（Ｂ）は（Ａ）の２Ｂ−２Ｂ線の側断面図である。
【図３】（Ａ）は、本発明の皿ばねの構成の一例を表し、凸面側内周縁部に平坦部が形成されている皿ばねの断面図、（Ｂ）は、従来の皿ばねの構成を表す断面図である。
【図４】本発明の第１の製造方法による各種皿ばねのストローク長ＳＴと平坦時発生荷重Ｐの関係図であり、（Ａ）は、外径の大きな親皿ばねの板厚が、外径の小さな子皿ばねの板厚より大きい場合、（Ｂ）は、外径の小さな子皿ばねの板厚が、外径の大きな親皿ばねの板厚より大きい場合の関係図である。
【図５】本発明の第２の製造方法による本発明の各種皿ばねのストローク長ＳＴと平坦時発生荷重Ｐの関係図であり、（Ａ）は、外径の大きな親皿ばねの板厚が、外径の小さな子皿ばねの板厚より大きい場合、（Ｂ）は、外径の小さな子皿ばねの板厚が、外径の大きな親皿ばねの板厚より大きい場合の関係図である。
【図６】図１，２の親皿ばねおよび子皿ばねのブランクの構成を表す図であり、（Ａ）は断面図、（Ｂ）は（Ａ）の３Ｂ−３Ｂ線における側断面図である。
【図７】図１，２の親皿ばねおよび子皿ばねを適用した多板式クラッチ装置の構成を表す側断面図である。
【図８】本発明の第２実施形態に係る子皿ばねの一部構成を表し、（Ａ）は、被切削部が内周部に形成された子皿ばねの断面図、（Ｂ）は、被切削部が外周部に形成された子皿ばねの断面図である。
【図９】本発明の第２実施形態に係る親皿ばねの変形例の一部構成を表し、（Ａ）は、平坦部が凹面側外周縁部に形成された親皿ばねの断面図、（Ｂ）は、テーパ部が凸面側内周縁部に形成された親皿ばねの断面図である。
【図１０】皿ばねの側部の構成を表し、ストローク長ＳＴ、板厚Ｔ、および高さＨの関係を示す側断面図である。
【符号の説明】
【００６７】
１，５，６…親皿ばね（外径の大きな皿ばね）、２，３，４…子皿ばね（外径の小さな皿ばね）、１２，１３…平坦部、１４…テーパ部、２２，２３…被切削部、３０…クラッチ装置、１００，２００…クラッチ機構、１０１，２０１…クラッチドラム（第１部材）、１０３，２０３…従動プレート（第２部材）、１０５，２０５…ピストン（第３部材）
【図１】
2008256033.tif 000003
【図２】
2008256033.tif 000004
【図３】
2008256033.tif 000005
【図４】
2008256033.tif 000006
【図５】
2008256033.tif 000007
【図６】
2008256033.tif 000008
【図７】
2008256033.tif 000009
【図８】
2008256033.tif 000010
【図９】
2008256033.tif 000011
【図１０】
2008256033.tif 000012